(57)【要約】【課題】  通常の時刻を表示している時計表示を、ユーザが設定したタイミングで希望する時間だけずらして時刻を表示可能な携帯電話機を提供する。【解決手段】  制御部１１は、時刻をずらして表示する機能を有効にした場合、すでにイベントを設定済みの場合、設定したイベントが発生するまで待ち状態となる。ここで、ユーザが設定したイベントが発生した場合、制御部１１はオフセット時刻表示手段１２ａによって設定したずらし時間だけ時刻をずらして表示する。制御部１１は、時刻をずらして表示する機能を有効とし、すでにイベントを設定済みでなく、ユーザがイベントを登録すると判断した場合、イベント設定テーブル１３ａへのイベント登録処理を行う。【選択図】      図２
2008203106.tif 000002
【特許請求の範囲】
【請求項１】
時刻を表示する時計表示機能と、前記時計表示機能の時刻を補正する自動時刻補正機能とを含む携帯端末装置であって、
予め設定されたイベントと前記時計表示機能にて表示されている時刻のずらし量とを対応付けて保持するイベント設定テーブルと、前記イベント設定テーブルに保持されたイベントの発生を監視する監視手段と、前記監視手段が前記イベントの発生を検出した時に前記時計表示機能にて表示されている時刻を前記イベント設定テーブルに保持されたずらし量だけずらして表示するオフセット時刻表示手段とを有することを特徴とする携帯端末装置。
【請求項２】
自端末の位置情報を取得する位置情報取得手段を含み、
前記監視手段は、前記イベントが、自端末が予め設定された設定位置への到達である場合、前記位置情報取得手段にて取得した位置情報が前記設定位置の時に前記イベントの発生を検出したことを前記オフセット時刻表示手段に通知することを特徴とする請求項１記載の携帯端末装置。
【請求項３】
前記オフセット時刻表示手段は、前記監視手段にて前記設定位置からの移動が検出された時に前記自動時刻補正機能にて補正された前記時計表示機能の時刻に戻すことを特徴とする請求項２記載の携帯端末装置。
【請求項４】
少なくとも携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）のうちのいずれかであることを特徴とする請求項１から請求項３のいずれか記載の携帯端末装置。
【請求項５】
時刻を表示する時計表示機能と、前記時計表示機能の時刻を補正する自動時刻補正機能とを含む携帯端末装置に用いる時刻表示方法であって、
前記携帯端末装置に、予め設定されたイベントと前記時計表示機能にて表示されている時刻のずらし量とを対応付けて保持するイベント設定テーブルを設け、
前記携帯端末装置が、前記イベント設定テーブルに保持されたイベントの発生を監視する監視処理と、前記監視処理が前記イベントの発生を検出した時に前記時計表示機能にて表示されている時刻を前記イベント設定テーブルに保持されたずらし量だけずらして表示するオフセット時刻表示処理とを実行することを特徴とする時刻表示方法。
【請求項６】
前記携帯端末装置に、自端末の位置情報を取得する位置情報取得手段を含み、
前記携帯端末装置が、前記監視処理において、前記イベントが、自端末が予め設定された設定位置への到達である場合、前記位置情報取得手段にて取得した位置情報が前記設定位置の時に前記イベントの発生を検出したことを前記オフセット時刻表示処理に通知することを特徴とする請求項５記載の時刻表示方法。
【請求項７】
前記携帯端末装置が、前記オフセット時刻表示処理において、前記監視処理にて前記設定位置からの移動が検出された時に前記自動時刻補正機能にて補正された前記時計表示機能の時刻に戻すことを特徴とする請求項６記載の時刻表示方法。
【請求項８】
前記携帯端末装置が、少なくとも携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）のうちのいずれかであることを特徴とする請求項５から請求項７のいずれか記載の時刻表示方法。
【請求項９】
時刻を表示する時計表示機能と、前記時計表示機能の時刻を補正する自動時刻補正機能とを含む携帯端末装置が実行しかつコンピュータにて実行可能なプログラムであって、
前記携帯端末装置に、予め設定されたイベントと前記時計表示機能にて表示されている時刻のずらし量とを対応付けて保持するイベント設定テーブルを設け、
前記コンピュータに、前記イベント設定テーブルに保持されたイベントの発生を監視する監視処理と、前記監視処理が前記イベントの発生を検出した時に前記時計表示機能にて表示されている時刻を前記イベント設定テーブルに保持されたずらし量だけずらして表示するオフセット時刻表示処理とを実行させるためのプログラム。
【発明の詳細な説明】
【技術分野】
【０００１】
本発明は携帯端末装置及びそれに用いる時刻表示方法並びにそのプログラムに関し、特に携帯電話機の時計表示機能に関する。
【背景技術】
【０００２】
近年、携帯電話機の時計表示機能においては、自動時刻補正機能によって、自動的に時刻を補正することができるようになってきている。これは、腕時計や壁掛け時計等の電波時計のように、正確な時刻情報を受信して表示することを、携帯電話機の時計表示機能に適用した例である。
【０００３】
但し、この機能の実現によって、携帯電話機の時計表示機能においては、腕時計や壁掛け時計等の電波時計と同じように、正確な時刻だけしか表示しなくなる可能性がある。これは、正確な時刻を表示するというメリットの反面、正確な時刻以外を表示しにくくなるというデメリットが発生するととらえることができる。
【０００４】
携帯電話機の時計表示機能においては、上記の機能の他に、時差がある場合に正確に時刻を自動的に補正する方法も提案されている（例えば、特許文献１参照）。
【特許文献１】特開平１１−１３６７５５号公報
【発明の開示】
【発明が解決しようとする課題】
【０００５】
上述した従来の携帯電話機の時計表示機能では、自動時刻補正機能を有する端末が多くなってきている。この機能を有する携帯電話機では、常に正確な時刻を表示することができるが、時刻をずらしても、すぐ自動的に時刻が補正されるため、正確な時刻以外を表示することが逆に難しくなってきている。
【０００６】
また、自動時刻補正機能を有さない携帯電話機においても、一度、時計機能で時刻を設定した後、手間が掛かるために頻繁に時刻を修正することは少ない。このように、従来アナログ時計で行っていたような「少しだけ時刻を進めて表示させておくこと」が手軽に実現しにくい状況になっている。
【０００７】
そこで、本発明の目的は上記の問題点を解消し、通常の時刻を表示している時計表示を、ユーザが設定したタイミングで希望する時間だけずらして時刻を表示することができる携帯端末装置及びそれに用いる時刻表示方法並びにそのプログラムを提供することにある。
【課題を解決するための手段】
【０００８】
本発明による携帯端末装置は、時刻を表示する時計表示機能と、前記時計表示機能の時刻を補正する自動時刻補正機能とを含む携帯端末装置であって、
予め設定されたイベントと前記時計表示機能にて表示されている時刻のずらし量とを対応付けて保持するイベント設定テーブルと、前記イベント設定テーブルに保持されたイベントの発生を監視する監視手段と、前記監視手段が前記イベントの発生を検出した時に前記時計表示機能にて表示されている時刻を前記イベント設定テーブルに保持されたずらし量だけずらして表示するオフセット時刻表示手段とを備えている。
【０００９】
本発明による時刻表示方法は、時刻を表示する時計表示機能と、前記時計表示機能の時刻を補正する自動時刻補正機能とを含む携帯端末装置に用いる時刻表示方法であって、
前記携帯端末装置に、予め設定されたイベントと前記時計表示機能にて表示されている時刻のずらし量とを対応付けて保持するイベント設定テーブルを設け、
前記携帯端末装置が、前記イベント設定テーブルに保持されたイベントの発生を監視する監視処理と、前記監視処理が前記イベントの発生を検出した時に前記時計表示機能にて表示されている時刻を前記イベント設定テーブルに保持されたずらし量だけずらして表示するオフセット時刻表示処理とを実行している。
【００１０】
本発明によるプログラムは、時刻を表示する時計表示機能と、前記時計表示機能の時刻を補正する自動時刻補正機能とを含む携帯端末装置が実行しかつコンピュータにて実行可能なプログラムであって、
前記携帯端末装置に、予め設定されたイベントと前記時計表示機能にて表示されている時刻のずらし量とを対応付けて保持するイベント設定テーブルを設け、
前記コンピュータに、前記イベント設定テーブルに保持されたイベントの発生を監視する監視処理と、前記監視処理が前記イベントの発生を検出した時に前記時計表示機能にて表示されている時刻を前記イベント設定テーブルに保持されたずらし量だけずらして表示するオフセット時刻表示処理とを実行させている。
【００１１】
すなわち、本発明の携帯端末装置は、時刻を表示する時計表示機能を備え、この時計表示機能にて表示されている時刻をずらして表示可能とする手段を有することを特徴としている。
【００１２】
近年、携帯端末装置の時計表示機能においては、自動時刻補正機能によって、自動的に時刻を補正することが可能となってきている。これによって、常に正確な時刻を表示することが可能となる。その一方で、時計表示機能では、正確な時刻に補正された時刻表示からずらして表示することが難しくなっている。
【００１３】
また、自動時刻補正機能をオフにして、表示する時刻を手動でずらすことは可能であるが、頻繁にこの操作を行うことは手間が掛かり、煩わしい作業となる。このような状況から、携帯端末装置の時刻表示においては、アナログ時計のように、時刻を少しずらして表示しておくことが難しくなっている。
【００１４】
そこで、本発明の携帯端末装置では、通常時、時刻情報をそのまま表示するが、ユーザの希望するタイミングで、希望する時間だけずらして時刻を表示する機能を提供する。
【００１５】
より具体的に説明すると、本発明の携帯端末装置では、予めユーザが設定したイベント設定リストのテーブルを設けておき、そのイベント設定リストに登録されたイベントを契機（トリガ）として、そのイベントに応じたずらし量（オフセット）だけずらした時刻を表示することで実現する。
【発明の効果】
【００１６】
本発明は、上記のような構成及び動作とすることで、通常の時刻を表示している時計表示を、ユーザが設定したタイミングで、希望する時間だけずらして表示することができるという効果が得られる。
【発明を実施するための最良の形態】
【００１７】
次に、本発明の実施例について図面を参照して説明する。
【実施例１】
【００１８】
図１は本発明の一実施例による携帯端末装置における時刻表示例を示す図である。図１において、本発明の一実施例では、携帯端末装置の一例として携帯電話機の例を示している。図１では、携帯電話機１の表示部１０の下段に日付と時刻とを表示している［１２／２５（月）０６：３５］（図１の表示Ａ参照）。
【００１９】
図２は本発明の一実施例による携帯電話機の構成例を示すブロック図である。図２においては、一般的な携帯電話機が有する構成要素と同様に、制御部１１と、表示部１０と、ＲＯＭ（リードオンリメモリ）１３と、ＲＡＭ（ランダムアクセスメモリ）１４と、キー操作部１５と、音声入出力部１６と、無線部１７とを備えている。これらの構成要素は、一般的な携帯電話機の構成要素であるため、本実施例では、それら構成要素の詳細な動作の説明を省略する。
【００２０】
本実施例では、これらの構成要素に加え、時刻表示手段１２を備えている。時刻表示手段１２は、自動時刻補正手段１２ａとオフセット時刻表示手段１２ｂとを有している。本実施例では、自動時刻補正手段１２ａによって通常の時刻を表示する機能を提供するとともに、オフセット時刻表示手段１２ｂにてユーザの設定したオフセット量に応じた時刻を表示することができる。
【００２１】
ＲＯＭ１３には、図４に示すようなイベント設定テーブル１３ａが保存され、登録したイベントが発生したかどうかを監視するイベント発生監視手段１３ｂがプログラムとして保存されている。
【００２２】
図３は図２のオフセット時刻表示手段１２ｂの動作を説明するための図であり、図４は図２のイベント設定テーブル１３ａの構成例を示す図である。これら図３及び図４を参照してオフセット時刻表示手段１２ｂの動作について説明する。
【００２３】
まず、本実施例による携帯電話機１では、予め時刻が設定しているものとする。これを時刻情報と呼ぶことにする（図３のＢ１）。この時刻情報はユーザが設定した時刻でも良いし、自動時刻補正手段１２ａによって得られた正確な標準時（例えば、日本標準時等）でもよいものとする。
【００２４】
時計設定が完了している時に、予め登録されたイベントが発生すると、携帯電話機１はそのイベントに応じた動作（時刻をずらす）を実行する。時刻をずらして表示する時間［オフセット時間（図３のＢ２）］は、発生したイベントに応じて設定されており、図４に示すイベント設定テーブル１３ａを参照することで取得することができる。携帯電話機１では、取得したオフセット時間（図３のＢ２）を予め設定されている時刻情報（図３のＢ１）に加えることで、ずらして表示する時刻を算出する（図３のＢ３）。
【００２５】
例えば、「６：５５ＡＭ」という時刻情報（図３のＢ４）がある時に、あるイベントが発生し、そのイベントに対応するオフセット時間が「１０分進める」（図３のＢ５）であったとする。この場合、ずらして表示する時刻は「６：５５ＡＭ」に対して「１０分進める」ので、「７：０５ＡＭ」（図３のＢ６）となる。このように、本実施例では、上記のような方法で時刻をずらして表示する機能を実現する。
【００２６】
図５は本発明の一実施例による携帯電話機１の時刻表示方法を示すフローチャートである。これら図１〜図５を参照して本発明の一実施例による携帯電話機１の時刻表示方法について説明する。尚、図５に示す処理は、制御部１１がＲＯＭ１３に格納されたプログラム（コンピュータにて実行可能なプログラム）を実行することで実現することができる。
【００２７】
まず、携帯電話機１の制御部１１は、ある時刻をずらして表示するかどうかの判断を行う（図５ステップＳ１）。もし、時刻をずらして表示しないのであれば、制御部１１は特に何の動作も行わず、再度、ステップＳ１の判断に戻る。
【００２８】
時刻をずらして表示する機能を有効にした場合、制御部１１は、すでにイベントを設定済みかどうかを確認する（図５ステップＳ２）。設定済みでなければ、制御部１１はユーザにイベントを登録するかの確認を行う（図５ステップＳ６）。携帯電話機１は、イベント設定の登録を行う場合、イベント設定テーブル１３ａへのイベント登録処理を行い（図５ステップＳ７）、ステップＳ１の判断に戻る。イベント設定の登録を行わない場合も、制御部１１は、特に処理を行わず、ステップＳ１の判断に戻る。
【００２９】
制御部１１は、すでにユーザがイベント設定を登録済みの場合、設定したイベントが発生するまで待ち状態となる（図５ステップＳ３）。ここで、ユーザが設定したイベントが発生した場合、制御部１１はオフセット時刻表示手段１２ａによって設定したずらし時間だけ時刻をずらして表示する（図５ステップＳ４）。
【００３０】
ユーザが時間をずらして表示するモードを終了した場合（図５ステップＳ５）、制御部１１はこのモードを終了する。それ以外の場合、制御部１１は上記のステップＳ３に戻り、イベント発生の待ち状態へと遷移する。
【００３１】
本実施例では、上記のような処理フローを実行することで、予め設定されたイベントが発生した時にある時刻をずらして表示する機能を実現している。
【００３２】
このように、本実施例では、通常の時刻を表示している時計表示を、ユーザが設定したタイミングで希望する時間だけずらして時刻を表示することができる。また、本実施例では、時刻をずらすためのイベントを予めユーザが複数登録することが可能であるため、設定を変更する手間を省略することができる。
【実施例２】
【００３３】
図６は本発明の他の実施例による携帯電話機の構成例を示すブロック図であり、図７は本発明の他の実施例による携帯電話機の動作を説明するための図である。これら図６及び図７を参照して本発明の他の実施例による携帯電話機の動作について説明する。
【００３４】
図６において、本発明の他の実施例による携帯電話機１ａは、位置情報取得部１８を追加した以外は図２に示す本発明の一実施例による携帯電話機１と同様の構成となっており、同一構成要素には同一符号を付してある。また、同一構成要素の動作は上述した本発明の一実施例と同様である。
【００３５】
位置情報取得部１８は、例えばＧＰＳ（Ｇｌｏｂａｌ  Ｐｏｓｉｔｉｏｎｉｎｇ  Ｓｙｓｔｅｍ）機器等の位置情報を取得する装置を想定している。但し、位置情報取得部１８としては、位置情報を取得する方法であれば、その手段は何でもよく、特にＧＰＳ機器と特定するものではない。
【００３６】
本発明の他の実施例では、位置情報取得部１８によって取得した位置情報を基に、時刻をずらして表示する方法を実現している。本発明の他の実施例による携帯電話機１ａは、例えば図７に示すような環境で使用するものとする。尚、図７において、携帯電話機１ｂ，１ｃはそれぞれの位置に置ける携帯電話機１ａを示している。
【００３７】
図７では、ユーザが携帯電話機１ｂを自宅２に居る間だけ少し進めた時刻を表示したい場合、ユーザは図４に示すイベント設定テーブル１３ａのように、予め「特定のエリアに入ったら」のイベントを選択し、そのアクションとしてずらしたい時間（例えば、「１５分進める」）を登録するものとする。
【００３８】
この場合、ユーザは、自宅２の位置情報を位置情報取得部１８にて取得し、イベント（特定のエリア１００）として登録するとともに、そのイベント設定の条件が成立した場合のアクションを登録する。このイベントの場合には、図４に示すように、「１５分進める」という設定が登録されたことになる。このイベント設定では、携帯電話機１ａを携帯するユーザが自宅２にいる間は、携帯電話機１ｂが表示する時刻が１５分早く表示されることになる。
【００３９】
一方、携帯電話機１ａを携帯するユーザが通勤のために、自宅２を出発し、駅３に向かって移動した場合、すなわち、ユーザが携帯電話機１ｂの位置から携帯電話機１ｃの位置に移動した場合、自宅２にいる間ずらして表示していた時刻を、本来設定されている時刻情報に表示し直すことが可能となる。これは、ユーザが登録した位置情報のエリア、すなわち自宅２から離れることによって、ずらして表示していた時刻を、本来設定されている時刻情報に自動的に変更（更新）することが可能となる。
【００４０】
本実施例では、イベントに応じて携帯電話機１ａの時刻表示をずらして表示することを特徴とするものであり、設定するイベント（トリガ条件）には様々なイベントが考えられる。
【００４１】
尚、本発明の応用例としては、上記の実施例の他に、ある特定のプッシュ型のコンテンツ（例えば、電子メール）を受信した場合に時刻をずらして表示することも可能である。具体的には、天気予報をお知らせするメールサービスで、天気予報が雨の場合や、電車の遅延情報をお知らせするメールを受信した場合に時刻を早めて表示することが可能となる。
【産業上の利用可能性】
【００４２】
本発明は、上述した携帯電話機以外に、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の小型の時計表示機能を有する携帯端末装置全般について適用可能である。
【図面の簡単な説明】
【００４３】
【図１】本発明の一実施例による携帯端末装置における時刻表示例を示す図である。
【図２】本発明の一実施例による携帯電話機の構成例を示すブロック図である。
【図３】図２のオフセット時刻表示手段の動作を説明するための図である。
【図４】図２のイベント設定テーブルの構成例を示す図である。
【図５】本発明の一実施例による携帯電話機の時刻表示方法を示すフローチャートである。
【図６】本発明の他の実施例による携帯電話機の構成例を示すブロック図である。
【図７】本発明の他の実施例による携帯電話機の動作を説明するための図である。
【符号の説明】
【００４４】
１，１ａ〜１ｃ  携帯電話機
１０  表示部
１１  制御部
１２  時刻表示手段
１２ａ  自動時刻補正手段
１２ｂ  オフセット時刻表示手段
１３  ＲＯＭ
１３ａ  イベント設定テーブル
１３ｂ  イベント発生監視手段
１４  ＲＡＭ
１５  キー操作部
１６  音声入出力部
１７  無線部
１８  位置情報取得部
【図１】
2008203106.tif 000003
【図２】
2008203106.tif 000004
【図３】
2008203106.tif 000005
【図４】
2008203106.tif 000006
【図５】
2008203106.tif 000007
【図６】
2008203106.tif 000008
【図７】
2008203106.tif 000009